(57)【要約】【課題】お腹を締め付けすぎずにズレ落ちを防止し、安定した固定装着状態が得られるパンツ型物品を提供する。【解決手段】外包体にウエスト開口部及び一対のレッグ開口部を設けたパンツ型物品であって、前記外包体が、間欠的に設けた接合部により接合した２枚のシート材と、該両シート材間の非接合部に配設し前記両シート材とは独立して伸縮自在とした複数の弾性部材とを有し、前記ウエスト開口部を含むウエスト領域及び該ウエスト領域の下方に位置する腸骨領域において、前記弾性部材を、該弾性部材が収縮したときに腰周りを締め付ける方向に互いに略平行に配置し、前記ウエスト領域に設けられた接合部を前記弾性部材に対し直交格子状配列とし、前記腸骨領域に設けられた接合部を前記弾性部材に対し千鳥格子状配列としたパンツ型物品。【選択図】図１
2008295930.tif 000002
【特許請求の範囲】
【請求項１】
外包体にウエスト開口部及び一対のレッグ開口部を設けたパンツ型物品であって、
前記外包体が、間欠的に設けた接合部により接合した２枚のシート材と、該両シート材間の非接合部に配設し前記両シート材とは独立して伸縮自在とした複数の弾性部材とを有し、
前記ウエスト開口部を含むウエスト領域及び該ウエスト領域の下方に位置する腸骨領域において、前記弾性部材を、該弾性部材が収縮したときに腰周りを締め付ける方向に互いに略平行に配置し、
前記ウエスト領域に設けられた接合部を前記弾性部材に対し直交格子状配列とし、前記腸骨領域に設けられた接合部を前記弾性部材に対し千鳥格子状配列としたことを特徴とするパンツ型物品。
【請求項２】
前記腸骨領域の下方に位置する胴周領域において、前記弾性部材を、該弾性部材が収縮したときに腰周りを締め付ける方向に複数、互いに略平行に配置し、前記胴周領域に設けられた接合部を前記弾性部材に対して直交格子状配列もしくは千鳥格子状配列としたことを特徴とする請求項１記載のパンツ型物品。
【請求項３】
前記腸骨領域における腰周りの締め付け力を、前記ウエスト領域における腰周りの締め付け力より大きくしたことを特徴とする請求項１又は２に記載のパンツ型物品。
【請求項４】
前記腸骨領域における腰周りの締め付け力を、前記胴周領域における腰周りの締め付け力より大きくしたことを特徴とする請求項２又は３に記載のパンツ型物品。
【請求項５】
前記弾性部材が収縮したとき、前記ウエスト領域において、前記２枚のシート材間に筒状の空孔を保持する互いに対向する一対の襞が、前記弾性部材と直交する方向に複数連設され、かつ、前記ウエスト開口部において前記対向襞の縁の両側基底部が互いに接合された略円形の開口端が形成されることを特徴とする請求項１〜４のいずれか１項に記載のパンツ型物品。
【発明の詳細な説明】
【技術分野】
【０００１】
本発明はパンツ型物品に関する。
【背景技術】
【０００２】
パンツ型おむつ、パンツ型おむつカバー、ショーツ型ナプキンなどのパンツ型物品において、装着したときの締め付け力を生じさせて安定に固定するため、通常、ウエスト周りに伸縮性のギャザーが形成される。一般的なギャザーは紐状の伸縮材を伸長状態でシート材に接着したものである。この伸縮材が自然形状になるよう収縮することにより腰周りの締め付け力が得られる。
パンツ型の使い捨ておむつにおいて、従来ギャザーを利用して、所定領域のおむつの装着締め付け力とウエスト開口部の締め付け力とを調節し、おむつのズレ落ちを抑制したものが開示されている（特許文献１参照）。しかし従来のギャザーは弾性部材が通常全体に亙ってシート材と接着されているため、その伸縮力はシート材に大きく拘束される。またギャザーのしわ目は短く、不規則かつ不連続なものである。
これに対して、内側シート及び外側シートの一対の不織布シートの間に伸長可能な帯状片を設け、外側シートと上記帯状片とを部分的に複数位置で接着固定し、その外側シートが該接着位置を谷間にして胴回り方向で起伏をなす成人用おむつが開示されている（特許文献２参照）。ここでは帯状伸長可能部材が間欠的に全域に亙りシート材に接着固定されており、上記ギャザー構造と同様に伸縮性が制限される。
他方、最近２枚のシートの間に弾性体を固定せずに設けた伸縮性の複合シート部材が開示されたが（特許文献３参照）、この部材を立体物品に効果的に適用した例はない。
【０００３】
【特許文献１】特開２００６−６１６８０号公報
【特許文献２】特開２００５−２５３７３１号公報
【特許文献３】特開２００５−０８０８５９号公報
【発明の開示】
【発明が解決しようとする課題】
【０００４】
本発明は、お腹を締め付けすぎずにズレ落ちを防止し、安定した固定装着状態が得られるパンツ型物品の提供を目的とする。また本発明は、上記の優れた装着性を維持しながら、さらに肌当りが柔らかく、良好な通気性を有する、履き心地の良いパンツ型物品の提供を目的とする。
【課題を解決するための手段】
【０００５】
本発明は、外包体にウエスト開口部及び一対のレッグ開口部を設けたパンツ型物品であって、前記外包体が、間欠的に設けた接合部により接合した２枚のシート材と、該両シート材間の非接合部に配設し前記両シート材とは独立して伸縮自在とした複数の弾性部材とを有し、前記ウエスト開口部を含むウエスト領域及び該ウエスト領域の下方に位置する腸骨領域において、前記弾性部材を、該弾性部材が収縮したときに腰周りを締め付ける方向に互いに略平行に配置し、前記ウエスト領域に設けられた接合部を前記弾性部材に対し直交格子状配列とし、前記腸骨領域に設けられた接合部を前記弾性部材に対し千鳥格子状配列としたパンツ型物品により前記目的を達成したものである。
【発明の効果】
【０００６】
本発明のパンツ型物品は、お腹を締め付けすぎずにズレ落ちを防止し、腰周りの所望の位置において安定した固定装着状態を実現しうる。また本発明のパンツ型物品は、上記の優れた装着性を維持しながら、さらに肌当りが柔らかく、湿気やムレを防ぐ通気性が高く、良好な履き心地を実現するという優れた効果を奏する。
【発明を実施するための最良の形態】
【０００７】
以下、本発明を詳細に説明する。
図１は、本発明のパンツ型物品の一実施形態としての乳幼児用おむつを、装着状態の形状で模式的に示す斜視図である。本実施形態のおむつ１０は、ウエスト開口部１及び左右一対のレッグ開口部４を有する。そして外包体をなす内側シート２及び外側シート３を有し、この外包体はサイドシール部５で接合されパンツ形状とされている。
ここで本実施形態のおむつ１０をおむつの機能を考慮し４つの領域に区分して説明する。すなわち概ねウエスト開口部１の縁がなす面を身丈方向（Ｙ方向）に平行移動して、機能上、ウエスト領域１１、腸骨領域１２、胴周領域１３、及び腿周領域１４に分ける。領域１１〜１３を総称して腰周り領域１６ということもある。なお、本発明において「腰周りを締め付ける」とは、腰周り領域１６全域に亙って締め付けることの他、領域１１〜１３のいずれか１つの領域もしくはその各領域の一部のみを締め付けることを含む意味に用いる。
【０００８】
ウエスト領域１１には身丈方向（Ｙ方向）に長さのある直線状の内側襞２ａ及び外側襞３ａが内側シート材２及び外側シート材３にそれぞれ形成されている。この一対の襞２ａ及び３ａが対向して筒状の空孔をなし、本実施形態においては、その筒状空孔がウエスト領域１１の全周にわたって連設されている。そして、ウエスト領域１１の下の腸骨領域１２には不規則に蛇行した内側襞２ｂ（図示せず。）及び外側襞３ｂが配設されている。これらの襞の特徴についてさらに図２に基づいて詳しく説明する。
【０００９】
図２は、図１のＩＩの領域の周辺を拡大して示した斜視図である。同図にはウエスト領域１１及び腸骨領域１２の一部が示されている。本実施形態においては内側シート２及び外側シート３の間に弾性部材２４が複数配設されており、弾性部材２４は腰周りの締め付け方向（Ｘ方向）に向けて互いに平行に配設されている。本発明において弾性部材の形態は特に限定されず、図示したもののように長尺の弾性部材とするほか、短尺の弾性部材を間欠的に連設する等が挙げられ、後述するような良好な接合部の直交格子状配列もしくは千鳥格子状配列をなすよう弾性部材が連続していることが好ましく、なかでも図示したような前記の長尺の弾性部材が好ましい。そして２枚のシート２及び３は間欠的に接合部２１によって接合されている（本発明において接合部２１というとき、縁部に位置する接合部２１ａ、直交格子状配列をなす接合部２１ｂ、千鳥格子状配列をなす接合部２１ｃ、及びその他の接合部を総称する意味に用いる。）。ここで弾性部材２４は両シートの非接合部に配され、両シートとは独立して伸縮しうる状態とされている。そのため、シート材と弾性部材とを一体化して接合した通常のギャザーに対し、剛性の過度の増加を防止できるとともに、外力に対して襞の柔軟な変形が促される。また、シート材の厚み方向にボリュームが出るとともに襞に触れたときの感触が柔らかく、肌触りが良好となる。
【００１０】
さらに、両シート材２及び３は間欠的に接合されているため、接着剤の使用量を低減することができる。特に２枚のシート材２及び３の接合を熱融着すれば接着剤使用量の低減効果は一層顕著となる。また製造工程において材料数を低減することができ加工工数も低減することができるため製造工程を効率化しうる。さらにホットメルト部が少ないので製品としたときに通気性や透湿性に優れる。
【００１１】
ここでウエスト領域１１についてみると、図示したものでは、直交格子状配列をなす接合部２１ｂが長尺の弾性部材２４に対して直交格子状配列とされている。本発明において直交格子状配列とは、接合部２１ｂが弾性部材に並行する列を複数なし、各接合部列における接合部のピッチが互いに略一致していることをいう。接合部ピッチの略一致とは、換言すれば、各接合部列の接合部を弾性部材に直交する方向に投影したときに、各接合部の像が略同じ位置で重なる関係にあることをいう。ただし、良好な直線状の襞２ａ及び３ａが維持されれば適宜接合部を設けない接合部省略部６３（図６参照）を設けてもよい。
【００１２】
本実施形態においては上記のように直交格子状に接合部２１ｂを配列したため、長尺の弾性部材に直交する接合部２１ｂが列をなしシール線２３となり、弾性部材２４が収縮したときには、そのシール線２３を谷部として内側襞２ａと外側襞３ａとがそれぞれ反対方向に緩やかな弧を描いて変形し、互いに対向した一対の襞をなす。そしてこの対向襞が空孔を保持する筒状構造を形成する。このときウエスト開口部１においては、略円形の開口端２０２が形成されるようにすることが好ましい。本発明において「略円形」とは真円や楕円だけではなく、緩やかな曲線により閉じられた形であれば矩形や菱形基調のものも含む意味に用いる。このような開口端の形態とするため、対抗する一対の襞２ａ及び３ａの縁部の両側の基底部どうしを接合して縁部接合部２１ａを設けることが好ましい。
【００１３】
上記のような筒状構造の空孔を連設することにより、例えば乳幼児がおむつを装着して姿勢や呼吸によりその腹囲が変動したときにその形状が変化し、開口端２０２から矢印２０１又はその逆方向に空気が出入りする。これにより装着者の運動等によってあたかもおむつが呼吸するように通気しサラッとした履き心地を実現しうる。またウエスト領域１１に形成した筒状の空孔は、その下に位置する腸骨領域１２に形成した蛇行襞２ｂ及び３ｂ（ただし襞２ｂは図示せず。）がなす不規則な蛇行した空孔につながっている。すなわちウエスト領域１１及び腸骨領域１２に亙って両シート２及び３の間に空間が連続して保持されており、その全域において通気性が確保されている。さらに、腸骨領域１２の下の胴周領域１３にも空孔構造が形成されるよう弾性部材と接合部とを配設することが好ましく（図１参照）、それによりより一層広範な領域において良好な通気性を実現しうる。
【００１４】
さらに上記ウエスト領域１１の内側襞２ａは当接する肌面２０５に対しても隙間を形成し（図２参照）、矢印２０３もしくはその逆の空気の流れが得られる。また、外側襞３ａは、パンツ型物品の上に衣服（図示せず。）をまとったときには、その衣服との間に隙間を形成し空気の流れを生じさせる。これにより、おむつ外包体の内部だけではなく、直接肌から発散される汗や、衣服との間に生じた湿気をも効果的に放出することができ、乳幼児の肌をムレや気触れから保護することができる。
また、本実施形態においては、上述のとおり、ウエスト領域１１に設けられた襞２ａ及び３ａは身丈方向（Ｙ方向）に長く連続し、それが多数並設されている。これは細かく不規則なしわ目になってしまう従来のギャザーではなしえなかったものであり、優雅な見た目の美しさを与えることができる。
【００１５】
本実施形態における腸骨領域１２においては、千鳥格子状配列をなす接合部２１ｃが長尺の弾性部材２４に対して千鳥格子状配列とされている。本発明において千鳥格子状配列とは、接合部２１ｃが弾性部材に並行する列を複数なし、各例の接合部のピッチをずらした配列をいう。ここで接合部ピッチをずらした配列とは、換言すれば、各列の接合部２１ｃを弾性部材に直交する方向に投影したときに、接合部の投影像が一致しない配置である。
このとき千鳥格子状配列は、図２に示したもののように、長尺弾性部材に並行する接合部列の１列おきに、その接合部ピッチが一致していることが好ましい。すなわち各列の接合部２１ｃを弾性部材に直交する方向に投影したときに、その投影像が接合部列の１列おきに略一致する配置であることが好ましい。
さらに、隣接する接合部列どうしにおいては、その接合部列を略半ピッチずらすことがより好ましい。すなわち、上記投影像が隣接する接合部列で互いに略中間に位置される配置であることがより好ましい。
【００１６】
このように弾性部材２４に対して接合部２１ｃを千鳥格子状に設けたことにより、弾性部材２４が収縮したときに内側シート材２及び外側シート材３に形成される襞は、先に述べたように不規則に蛇行したような襞２ｂ（図示せず。）及び３ｂとなる。図２においては、上記蛇行襞３ｂを緩やかな蛇行状態で示しているが、弾性部材２４及び接合部２１ｃの間隔や、弾性部材２４の収縮力を調節することによって、さらに大きく蛇行させたり、複雑に蛇行させたりすることができる。したがって、その外観は一様ではないが、例えば和装生地の「しぼり」様の柔らかな凹凸外観を有し、従来のギャザーの不規則で細かな「しわ目」とは異なり、また肌当りも柔らかで優しい感触を与えるものである。また、このしぼり様の蛇行襞は、腸骨領域１２において外側シート３及び内側シート２の両側に形成されるため、先に述べたとおり両シート間に空孔が保持され通気性が得られる。
【００１７】
腸骨領域１２に形成される襞は不規則に蛇行しているため身丈方向（Ｙ方向）に対する肌との摩擦力が、ウエスト領域１１の直線状の襞と比べ大きい。その摩擦力が大きい部分を後述するように人体において腸骨の張り出した固い部分に配置することにより、効果的にズレ落ち防止作用を発揮する。本発明においては、腸骨領域１２における腰周りの締め付け力を、ウエスト領域１１もしくは胴周領域１３における締め付け力より大きくすることが好ましい。これによりウエスト周りのやわらかい部分では人体を締め付けすぎず、長時間の装着であっても乳幼児に苦しさを感じさせることがない。他方、運動などによってもズレ落ちたりせず、それによる排泄物の漏れ出しなどが起こりにくい、信頼性の高い装着性を実現しうる。
【００１８】
腸骨領域１２における腰周りの締め付け圧は特に限定されないが、１．１〜２．５ｋＰａとすることが好ましく、１．１〜２．０ｋＰａとすることがより好ましく、１．２〜１．８ｋＰａとすることが特に好ましい。腸骨領域１２の締め付け圧は、ウエスト領域１１もしくは胴周領域１３の締め付け圧より０．３〜１．０ｋＰａ高くすることが好ましく、０．５〜１．０ｋＰａ高くすることがより好ましい。ウエスト領域１１及び胴周領域１３の締め付け圧は特に限定されないが、０．３〜１．５ｋＰａとすることが好ましく、０．４〜１．２ｋＰａとすることがより好ましく、０．４〜１．０ｋＰａとすることが特に好ましい。
【００１９】
本発明において腰周りの締め付け圧は下記のようにして測定することができる。すなわち、おむつ１０のウエスト開口部１から円筒を挿入し、所定領域に装着圧測定装置のエアパックの中心を位置させ装着圧を測定する。測定は円周方向に等間隔にて例えば１０点で行い、その平均値を該領域の締め付け圧とする（腹側のウエスト開口部の端縁の位置と、背側のウエスト開口部の端縁の位置とがずれている場合は、腹側と背側とが重なっている領域のうち、最も端部寄りの位置をもってウエスト開口部とする。）。
腰周りの締め付けは、例えば弾性部材の素材、太さや伸長率、或いは配設間隔を調整することでコントロールすることができる。
【００２０】
ここで腸骨領域１２の範囲についてさらに詳しく説明する。図３は腸骨を示す説明図であり、図４は腸骨領域の人体に対する位置関係を説明するための幼児の側面図である（本図においては幼児を例に図示しているが、乳幼児であっても大人であっても人体の骨格に対する位置関係は共通する。）。本発明において腸骨領域１２は、人体にて対しては、上前腸骨棘（そ）９１から腸骨稜９２に亙る部分を包含する範囲に相当する。さらに詳しくいうと、腸骨領域１２は、腸骨稜頂点９２ａを通る腰周り方向（Ｘ方向）の線を上部境界線とし、上前腸骨棘９１を通る腰周り方向の線を下部境界線としたときの幅９５を包含する範囲に相当する。
【００２１】
幅９５の具体的な長さは装着者の年齢（乳幼児〜成人）や体格によって異なるため一定ではないが、乳幼児についていうと例えば幅９５を１５〜３５ｍｍとすることが好ましく、２０〜３５ｍｍとすることがより好ましく、２５〜３０ｍｍとすることが特に好ましい。このとき、腸骨領域１２として身丈方向（Ｙ方向）には上記幅９５の全域に亙り接合部２１を千鳥格子状配置にすることが好ましいが、腰周り方向（Ｘ方向）の範囲は特に限定されず、例えば上前腸骨棘９１と腸骨稜頂点９２ａとの幅９６の範囲に配置することが好ましい。すなわち千鳥格子状の接合部配置を、吸収体８を避け、装着者の腸骨の張り出した領域９７に相当する位置にフィットするよう設けることが好ましい。このようにすることで吸収体の液吸収機能・液保持機能を妨げることなく、腰周りにおむつをしっかりフィットさせ、効果的にズレ落防止作用を発揮させることができる。
【００２２】
図５は、本実施形態のおむつ１０を展張状態で一部切欠して模式的に示す展開図である（同図では弾性部材を伸長した状態で示している。）。同図に示したように、本実施形態のおむつは展張状態では平面シート状のおむつ素材になる。
本実施形態においては、先に述べたとおりウエスト領域１１及び腸骨領域１２に複数の長尺の弾性部材２４が、腰周りを締め付ける方向（Ｘ方向）に、互いに平行に配設されており、さらには胴周領域１３にも長尺の弾性部材がＸ方向に互いに平行に複数配設されており好ましい。
【００２３】
本実施形態においては、ウエスト領域１１においては、弾性部材２４がサイドシール部５３でのみ接着固定されており、腸骨領域１２及び胴周領域１３においてはサイドシール部５３及び中央シール部５４でのみ接着固定されている。接着固定は通常の方法によればよい。そして接合部２１は間欠的に設けられており、弾性部材２４は接合部２１を通らない位置に独立伸縮可能に配置されている。なお、本実施形態においては胴周領域１３において弾性部材に対して接合部２１を直交格子状に設けているが、同領域１３においては千鳥格子状に設けてもよい。このように、腰周り領域１６において弾性部材２４は少なくとも近接する２つ以上のエンボス接合部にわたり弾性部材が固定されていないことが好ましい。弾性部材の固定点の数をできるだけ減らすことにより、製品としたとき弾性部材本来の伸縮性をそのまま発現させることができ、良好なはき心地が得られる。なお、腿周領域１４においては、必要に応じて、上述の弾性部材に対し直交格子状もしくは千鳥格子状の接合部構造をさらに設けてもよく、従来ギャザー構造を設けてもよい。
【００２４】
本実施形態においては、おむつ中央部５２の内側シート材２上に吸収体８が設けられている。そしてウエスト領域１１においては吸収体８を設けず、左右のサイド部５１に亙って弾性部材２４の連続状態が維持されている。このようにすることでおむつ開口部全周に亙ってシート材２及び３に拘束されない弾性部材本来の伸縮性が発現され、良好なウエスト部のフィット性が得られる。特にウエストサイズの異なる乳幼児であっても適切に伸縮してフィットし、腹回りを締め付けすぎず優れた履き心地を実現しうる。また、これによりウエスト開口部１の全周に亙って開口端２０２が隙間なく配された、筒状空孔の連設形態による高い通気性が実現される（図１参照）。
【００２５】
これに対し、腸骨領域１２及び胴周領域１３においては中央部５２において弾性部材２４は配されておらず、前述のように吸収体８の液吸収・液保持機能が十分に発揮される構造とされている。ただし腸骨領域１２のサイド部５１の範囲（前記の腸骨の張り出した領域９７を包含する範囲）には接合部２１ｃが千鳥格子状配列に設けられているため高いズレ落ち性が実現されている。
【００２６】
おむつ１０を着用した状態での、おむつの腸骨領域１２の具体的な寸法は着用者の体格との関係で適宜定めればよい。例えば乳幼児用のおむつを考えた場合、図５のおむつ展開図において、腸骨領域１２の中心線１２ａからおむつ中心線ｃとの間の距離を１８０〜２２０ｍｍとすることが好ましい。おむつ１０の展開図におけるウエスト開口部１ａの全長（前身頃側ｆ及び後ろ身頃側ｒの合計長さ）は任意に設定可能であるが、乳幼児用おむつにおいて通常４６０〜５８０ｍｍに設定することが好ましい。
【００２７】
本実施形態のおむつ１０においては、さらにレッグ開口部の縁４ａの近傍にレッグギャザー用弾性部材７が配設されている（図１及び図５参照）。これによって、おむつを着用者の股間に適度な圧力で密着させることができ、液漏れを効果的に防止することができる。
【００２８】
本実施形態のおむつ１０の製造方法は特に限定されないが、通常のおむつの製造手順によればよい。例えば、図５に示したような展張状態の平面シート状おむつ素材を作製する。具体的には長尺の弾性部材２４を伸張させた状態で配置し、中央シール部５４及びサイドシール部５３で固定する。このときＸ方向にシート材２及び３並びに長尺の弾性部材２４を送り出すようにして連続生産することが好ましい。そして接合部２１、吸収体８、レッグギャザー７等を必要な加工を施して設ける。この平面シート状おむつ素材を中央線ｃでゆるやかに谷折りして、前身頃部ｆと後ろ身頃部ｒとが対向するよう折り返す。次いでサイドシール部５３で前身項部ｆと後ろ身項部ｒとを連結して、図１に示した形態のパンツ型おむつ１０にすることができる。
【００２９】
図６は、図５に示した図の領域ＶＩを一部切欠して示す拡大平面図である。本実施形態においては、上述のとおり、ウエスト領域１１において接合部２１ｂが長尺の弾性部材２４に対して直交格子状に設けられており、腸骨領域１２においては接合部２１ｃが千鳥格子状に設けられている。このときウエスト領域１１の直交格子状の接合部配置において、長尺弾性部材２４に直交する方向の接合部２１の間隔Ｐ１は１〜４０ｍｍであることが好ましく、２〜１５ｍｍであることがより好ましい。各接合部２１の長さＬ１は０．５〜２０ｍｍであることが好ましく、１〜１０ｍｍであることがより好ましい。前記間隔Ｐ１と前記長さＬ１の比（Ｐ１／Ｌ１）は１．０５〜８０であることが好ましく、１．０５〜１５であることがより好ましい。
上記直交格子状の接合部配列において、弾性部材２４と並行する接合部の間隔Ｐ２は１〜３０ｍｍであることが好ましく、２〜１５ｍｍであることがより好ましい。各接合部の幅Ｌ２は０．１〜５ｍｍであることが好ましく、０．２〜１．５ｍｍであることがより好ましい。前記間隔Ｐ２と前記幅Ｌ２の比（Ｐ２／Ｌ２）は１．１〜３００であることが好ましく、４〜１００であることがより好ましい。
ただし、接合部の長さＬ１及び幅Ｌ２並びに間隔Ｐ１及びＰ２は各列で一致している必要はない。例えば、接合部の長さＬ１及び幅Ｌ２を任意のおむつの位置で必要に応じて機能的に調節することができ、また間隔Ｐ１及びＰ２についても身丈方向（Ｙ方向）及び腰周り方向（Ｘ方向）においてそれぞれの機能を考慮し適宜調節することができる。また、例えば、補助線６１で示した接合部列と補助線６２で示した接合部列との間の弾性部材２４ａを設けず、弾性部材を挟まずに接合部列を上下に配列した部分を設けてもよい。必要に応じてこのように各部の機能に応じた接合部の配列形態としてもよい。なお、先に述べたように、良好な直線状の襞が得られるようシール線２３が維持される範囲で接合部を設けない省略部６３を設けてもよい（接合部省略部６３については図６で例示的に示したものであり、図２及び図５では示していない。）。
【００３０】
図６に示した実施形態の腸骨領域１２における千鳥格子状に配列された接合部２１ｃについていうと、接合部の長さ及び幅は上記直交格子状の接合部配列のときと同じであり、好ましい範囲も同じである。そして腸骨領域１２における千鳥格子状配列においては、各接合部の間隔Ｐ３は特に限定されないが、上記直交格子状配列における間隔Ｐ１及びＰ２との関係を考慮すると、１〜４０ｍｍであることが好ましく、２〜２０ｍｍであることがより好ましい。Ｐ４は１〜３０ｍｍであることが好ましく、２〜２０ｍｍであることがより好ましい。ただし、図６に示した形態とは異なり、１列おきに同一ピッチにしない形態とするのであればＰ３は設定しなくてもよいし、Ｐ４についても均等間隔にしない形態であってもよい。また、ウエスト領域１１における接合部の幅方向間隔Ｐ２と、腸骨領域１２における接合部の幅方向間隔Ｐ４とを同じ間隔としても、異なる間隔としてもよいが、本実施形態に示したように略同じ間隔（Ｐ２≒Ｐ４）とすることが好ましい。なお腸骨領域１２においても所望の襞が得られる範囲で必要に応じて接合部省略部（図示せず）を設けてもよい。
腸骨領域１２における千鳥格子状の接合部配列においては、ランダムな配列であってもよく、要求される機能に応じて適宜接合部の間隔等を定め、自由度の高い接合部パターンの設計が可能である。
【００３１】
接合部の形状は図示したもののように矩形のものであっても、その他、例えば円形のものであってもよい。円形の接合部とするとき、その大きさは直径０．１〜１０ｍｍであることが好ましく、０．２〜５ｍｍであることがより好ましい。
【００３２】
本実施形態のおむつ１０においては、ウエスト開口部１ａに縁部接合部２１ａが設けられている。このようにすることで、装着時に略円形の開口端２０２が形成され上述した良好な通気性が得られる。
【００３３】
シート材２及び３の素材としては不織布を用いることが好ましい。
例えば、エアースルー不織布、ヒートロール不織布、スパンレース不織布、スパンボンド不織布、メルトブローン不織布等の各種製法による不織布が挙げられ、これらと織布、編布、樹脂フィルム等を組み合わせてもよい。また、これらを積層一体化したシート材等を用いることができる。感触の良い柔軟な襞を形成するために、両シート材又は一方のシート材（特に複合伸縮部材を肌に当接させる用途に用いる場合の肌側の面を形成するシート材）の形成材料を、エアースルー不織布、ヒートロール不織布、スパンレース不織布、スパンボンド不織布、メルトブローン不織布等とすることが好ましい。
【００３４】
シ−トが弾性部材の収縮に対して変形することで襞を成形するため、このシートの剛性をこの複合伸縮部材の稜の成形性・クッション性に適したものとすることが好ましい。剛性はシート材料の座屈強度によって表すことができる。本発明のおむつに用いられる不織布の座屈強度としては１００ｃＮ以下とすることが好ましく、７０ｃＮ以下とすることがより好ましい。ここで、座屈強度は、下記に示すように、テンシロン万能試験装置（オリエンテック社製）の圧縮試験モードにより測定される。
【００３５】
座屈強度試験法（ＣＤ）：
機械流れ方向（ＭＤ）に１５０ｍｍ、機械流れ方向と直交する方向（ＣＤ）に３０ｍｍの長方形の試験片を取り、直径４５ｍｍの円筒を作り、重なり合った部分の上端と下端とをホッチキス等で止め測定サンプルとする。これを、テンシロン万能試験装置の圧縮試験モードにより、測定環境２０℃、６５％ＲＨ、測定条件としては、圧縮速度１０ｍｍ／ｍｉｎ、測定距離２０ｍｍで測定を行う。サンプルを２０ｍｍ圧縮した時の最大強度を各サンプルについて測定し、その平均値を求め、これを座屈強度とする。
【００３６】
前述したように、シート材としては好ましくは不織布が用いられる。不織布の坪量としては、５〜５０ｇ／ｍ２とすることが好ましく、１８〜３０ｇ／ｍ２とすることがより好ましい。また不織布の座屈強度は、ＣＤ方向で５０ｃＮ以下とすることが好ましく、３０ｃＮ以下とすることがより好ましい。ＭＤ方向では７０ｃＮ以下とすることが好ましく、５０ｃＮ以下とすることがより好ましい。
【００３７】
また、シート材は、熱融着による接合を容易にする観点から、その形成素材（不織布の場合の繊維、樹脂フィルムのフィルム材料等）が熱融着性の樹脂からなることが好ましく、熱融着性の樹脂としては、ポリエチレン、ポリプロピレン等が挙げられる。不織布等を構成する繊維は、表面のみが熱融着性の樹脂からなる芯鞘型の複合繊維等であってもよい。なお、２枚のシート材のうちの一方のシート材と他方のシート材とでは、形成材料が同一でも異なっていてもよい。
【００３８】
シート材は、別体の２枚のシートに限られるものではなく、一枚のシート材を折り曲げて相対向する２面を形成し、一方の面を構成する部分を１枚のシート材、他方の面を構成する部分をもう１枚のシート材とすることもできる。
【００３９】
弾性部材の材料としては、おむつや生理用ナプキン等の吸収性物品に用いられる通常の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。
【００４０】
弾性部材としては、最大伸長率２０〜１０００％のものを用いることが好ましく、５０〜４００％の伸長状態でシート材に配設することが好ましい。そうして配設した弾性部材が収縮したとき、本実施形態のようにシート材と独立して伸縮しうる状態であれば、その部分の不織布が余り接合部の貼り合わせた面とは反対側の方向に、外側に断面凸形状に変形することで襞が形成される。この襞の高さは片側１〜１５ｍｍ程度であることが好ましい。
【００４１】
好ましい弾性部材の一つに、天然ゴムまたは合成ゴムがある。天然ゴムまたは合成ゴムとしては、厚みが０．０５〜１．５ｍｍであり、幅が０．２〜５ｍｍであるものを用いることが好ましく、代表的な断面積として厚み０．３５ｍｍで幅０．９１ｍｍのものでいうと、単糸の１００％伸長時の応力が１〜７０ｇｆ程度のものを用いることが好ましく、１〜４０ｇｆ程度のものを用いることがより好ましく、１〜３０ｇｆ程度の低モジュラスのものを用いることが特に好ましい。
他の好ましい弾性部材に、ポリウレタンのスパンデックス弾性繊維がある。単糸のサイズが１０〜３３６０デニールのものを用いることが好ましく、７０〜１１２０デニールのものを用いることがより好ましい。デニールは糸の太さを表す単位であり、９０００ｍで１ｇある糸を１デニールと呼ぶ。このスパンデックス弾性繊維を３０〜５００％に伸長したものを複数本用いることが好ましい。
上記に挙げた低モジュラスの弾性部材の単糸を、１００％以上用いることが好ましく、２００％以上の高伸長倍率で複数本配置することにより、柔らかく伸縮する美しい襞を得ることができる。
【図面の簡単な説明】
【００４２】
【図１】本発明のパンツ型物品の一実施形態としての乳幼児用おむつを装着状態の形状で模式的に示す斜視図である。
【図２】図１の領域ＩＩの周辺を拡大し一部を切欠して示す拡大斜視図である。
【図３】腸骨の形状を模式的に示す斜視図である。
【図４】腸骨領域の人体に対する位置関係を説明するための幼児の側面図である。
【図５】図１に示した乳幼児用おむつを展張状態で一部切欠して模式的に示す展開平面図である。
【図６】図５の展開平面図の領域ＶＩの周辺を一部を切欠して模式的に示す拡大平面図である。
【符号の説明】
【００４３】
１  ウエスト開口部
１ａ  ウエスト開口部の縁
２、３  シート材
２ａ，３ａ  直線的に延びた襞
３ｂ  しぼり様の襞（蛇行した襞）
４  レッグ開口部
４ａ  レッグ開口部の縁
５  サイドシール部
７  レッグギャザー部の弾性部材
８  吸収体
１０  乳幼児用おむつ
１１  ウエスト領域
１２  腸骨領域
１２ａ  腸骨領域の中央線
１３  胴周り領域
１４  腿周領域
１６  腰周り領域
２１  接合部
２１ａ  縁部に位置する接合部（対向襞の両側の基底部どうしを接合した部分）
２１ｂ  直交格子状をなす接合部
２１ｃ  千鳥格子状をなす接合部
２３  シール線
２４、２４ａ  弾性部材
２０１、２０３  空気の流れの方向
２０２  開口端
２０５  人肌（輪郭線）
５１  サイド部
５２  中央部
５３  サイドシール部
５４  中央シール部
６１、６２  接合部列を示す補助線
６３  接合部省略部
９１  上前腸骨棘
９２  腸骨稜
９２ａ  腸骨稜頂点
９５、９６  上身腸骨棘と腸骨稜頂部との幅
９７  腸骨の張り出した領域
【図１】
2008295930.tif 000003
【図２】
2008295930.tif 000004
【図３】
2008295930.tif 000005
【図４】
2008295930.tif 000006
【図５】
2008295930.tif 000007
【図６】
2008295930.tif 000008